(57)【特許請求の範囲】
【請求項１】
建築物の屋根部を構成し、該屋根部の棟梁に所定の角度を有して載置される屋根パネルであって、
平板状のパネル本体周縁に形成されるフレーム枠体と、該フレーム枠体のうち、棟側に配設された棟側フレームの外側面に、着脱可能に装着される吊り金具とを有し、該吊り金具には、前記棟梁に係止する位置決め部材が回動自在に軸支されていることを特徴とする屋根パネル。
【請求項２】
前記位置決め部材には、前記吊り金具と、前記棟側フレーム枠体との間に挟持される座金部が設けられていることを特徴とする請求項１記載の屋根パネル。
【請求項３】
前記建築物の屋根部を構成する屋根パネルに装着されて、平板状のパネル本体周縁に設けられたフレーム枠体のうち、棟側に配設される棟側フレームの外側面に、該棟側フレーム延設方向に沿う位置から、該棟側フレームの下方へ向けて突出する位置まで回動自在となるように装着されることを特徴とする前記請求項１又は２記載の屋根パネルに用いられる位置決め部材。
【請求項４】
建築物の屋根部に所定の角度を有して略平板状の屋根パネルを載置する屋根パネルの施工方法であって、
前記屋根パネル周縁に形成されるフレーム枠体のうち、棟側に位置する棟側フレームの外側面には、前記位置決め部材を回動自在に軸支する吊り金具を装着すると共に、前記建築物の屋根部に該屋根パネルを載置する際には、該位置決め部材を、該屋根部の棟梁に係止させることを特徴とする請求項１又は２記載の屋根パネルの施工方法。
【請求項５】
建築物の屋根部に所定の角度を有して略平板状の屋根パネルを載置する屋根パネルの施工方法であって、
前記屋根パネル周縁に形成されるフレーム枠体のうち、棟側に位置する棟側フレームの外側面に設けられた位置決め部材を、搬送状態では、前記棟側フレーム延設方向に沿って位置させると共に、前記建築物の屋根部に該屋根パネルを載置する際には、回動により、該棟側フレームから下方へ突出させて、該屋根部の棟梁に係止させることを特徴とする請求項１又は２記載の屋根パネルの施工方法。
【発明の詳細な説明】
【０００１】
【発明の属する技術分野】
この発明は、施工性が良好な屋根パネル，該屋根パネルの位置決め部材及び該屋根パネルの施工方法に関するものである。
【０００２】
【従来の技術】
従来の屋根パネル，該屋根パネルとしては、例えば、図４に示すような特開平５−１８０３４号公報に記載された技術が知られている。
【０００３】
このようなものでは、建築物の屋根部には、複数の屋根パネル１…が組み合わせられて載置される。この屋根パネル１には、水平方向から所定の角度傾斜して、略平板状のパネル本体としての野地板２が配設されている。この野地板２には、複数の屋根瓦３…が固定されている。
【０００４】
この野地板２の下面側周縁には、フレーム枠体４が設けられている。このフレーム枠体４には、主に、棟側に配設される棟側フレーム５と、軒先側に配設される軒側フレーム６と、流れ方向に沿って延設されてこれらの棟側フレーム５及び軒側フレーム６を連結する一対の縦フレーム７，７とを有している。
【０００５】
そして、この縦フレーム７，７間には、前記棟側フレーム５及び軒側フレーム６と平行に掛け渡されると共に、両端部８ａ，８ａ及び９ａ，９ａが固着される軒桁側ストッパー部材８及び母屋側ストッパー部材９が、設けられている。
【０００６】
これらの軒桁側ストッパー部材８及び母屋側ストッパー部材９には、下片部８ｂ及び９ｂが、各々断面略Ｌ字状を呈するように延設形成されている。
【０００７】
そして、これらの下片部８ｂ及び９ｂが、前記屋根部に設けられた棟梁等に止着されることにより、この屋根パネル１が、前記建築物の屋根部の躯体に係止されて、屋根パネル１載置時に滑落する虞を減少させている。
【０００８】
また、図５に示す実開平４−４３６１３号公報に記載されているものでは、屋根パネル１０の縦フレーム７，７内側面７ａ，７ａに、一対のストッパ部材１１，１１が配設されている。
【０００９】
このストッパ部材１１は、縦フレーム内側面７ａへ釘１２ａ，１２ｂによって固着される取り付け座金１３と、この釘１２ａを回動中心として回動可能となるように設けられたストッパ本体片１４とから主に構成されている。
【００１０】
そして、前記屋根部に、水平状態から所定の角度を設けて傾斜させた状態で、前記野地板２が載置されたとき、建築物側の軒桁１５に形成される母屋側側面１５ａに対向して当接する当たり面１４ａが、このストッパ本体片１４に設けられている。
【００１１】
このような従来のものでは、前記釘１１を回動中心として前記ストッパ本体片１４が回動されて、前記途中まで打ち込まれた釘１２ｂに対して、釘当たり溝１４ｂが当接されると、前記当たり面１４ａが、前記母屋側側面１５ａと対向するように、略垂直に固定される。
【００１２】
このため、輸送時には、このストッパ本体片１４を図５中二点鎖線で示す位置まで回動させて縦フレーム７内側面７ａに収納出来ると共に、屋根パネル１０装着時には、前記ストッパ本体１４を図５中実線で示す位置まで回動させて、前記釘１２ｂに当接させることにより、前記当たり面１４ａを、前記母屋側側面１５ａに係止させて、本固定前の位置決めが行われる。
【００１３】
【発明が解決しようとする課題】
しかしながら、図４に示す前記特開平５−１８０３４号公報に記載された屋根パネル１では、軒桁側ストッパー部材８及び母屋側ストッパー部材９が、屋根部の躯体側に係止されるように、前記フレーム枠体４下側面４ａよりも下方へ向けて、前記下片部８ａ及び９ａが突設されている。
【００１４】
このため、工場等の組立場所から施工現場まで搬送する際或いは保管時に、積層の妨げとなってしまうという問題があった。また、積層された下方の屋根パネルの野地板２を損傷させやすいといった問題もあった。
【００１５】
更に、図５に示す前記実開平４−４３６１３号公報に記載されたものでは、縦フレーム７内側面７ａに回動するストッパ本体片１４を有するストッパ部材１１が設けられている。このため、フレーム枠体４下面側に、前記野地板２の様な面材を配設して、屋根パネル１０両面をこれらの野地板２及び面材で覆う構成を採用した屋根パネルを作成することは困難であった。
【００１６】
また、縦フレーム７内側面７ａに回動するストッパ本体片１４が設けられているので、本固定後に内側から前記釘１２ａ，１２ｂを抜かなければ取り外せない。このため、このストッパ１１を再利用することは困難であった。
【００１７】
しかも、釘１２ｂの位置によっては、前記ストッパ本体片１４が、不本意な位置に回動角度を固定されて、屋根パネル１０が、自重が作用する流れ方向に沿って位置ズレを起こし易いといった問題もあった。
【００１８】
この発明は、上述した従来技術の問題点に鑑みてなされたものであり、施工作業性が良好で、しかも、再利用出来、製造コストの上昇を抑制出来る屋根パネル，該屋根パネルの位置決め部材及び該屋根パネルの施工方法を提供することを課題としている。
【００１９】
【課題を解決するための手段】
上記課題を解決するため請求項１にかかる発明は、建築物の屋根部を構成し、該屋根部の棟梁に所定の角度を有して載置される屋根パネルであって、平板状のパネル本体周縁に形成されるフレーム枠体と、該フレーム枠体のうち、棟側に配設された棟側フレームの外側面に、着脱可能に装着される吊り金具とを有し、該吊り金具には、前記棟梁に係止する位置決め部材が回動自在に軸支されている屋根パネルを特徴としている。
【００２０】
このように構成された請求項１記載のものでは、前記位置決め部材を回動させることにより、前記棟側フレームの外側面から前記棟側フレームの下方に向けて該位置決め部材の一部を突設させることが出来る。
【００２１】
このため、搬送時等の積層状態では、該位置決め部材をフレーム枠体内に収納すると共に、該屋根パネル装着時には、この位置決め部材により、屋根パネルを前記屋根部の躯体に係止させて本固定前の位置決めを行なうことが出来る。
【００２２】
しかも、本固定後、前記吊り金具を枠体フレーム棟側から取り外すことにより、該位置決め部材が前記枠体フレームから取り外されるので、再利用を簡便に行える。
【００２３】
また、請求項２に記載されたものでは、前記位置決め部材には、前記吊り金具と、前記棟側フレーム枠体との間に挟持される座金部が設けられている請求項１記載の屋根パネルを特徴としている。
【００２４】
このように構成された請求項２記載のものでは、前記位置決め部材に設けられた座金部が、前記吊り金具と、前記棟側フレーム枠体との間に挟持されて、吊り上げ時に、前記吊り金具から前記棟側フレーム枠体に与えられる応力を分散させる。
【００２５】
このため、例えば、前記棟側フレーム枠体が、木製等であっても、前記吊り金具のめり込み等を防止できる。
【００２６】
そして、請求項３に記載されたものでは、前記建築物の屋根部を構成する屋根パネルに装着されて、平板状のパネル本体周縁に設けられたフレーム枠体のうち、棟側に配設される棟側フレームの外側面に、該棟側フレーム延設方向に沿う位置から、該棟側フレームの下方へ向けて突出する位置まで回動自在となるように装着される前記請求項１又は２記載の屋根パネルに用いられる位置決め部材を特徴としている。
【００２７】
このように構成された請求項３記載のものでは、前記位置決め部材が、前記建築物の屋根部を構成する屋根パネルに装着されて、平板状のパネル本体周縁に設けられたフレーム枠体のうち、棟側に配設される棟側フレームの外側面に、該棟側フレーム延設方向に沿う位置から、該棟側フレームの下方へ向けて突出する位置まで回動自在となるように装着される。
【００２８】
このため、搬送時等の積層状態では、棟側フレーム延設方向に沿う位置まで、該位置決め部材を回動させてフレーム枠体内に収納すると共に、該屋根パネル装着時には、この位置決め部材を該棟側フレームの下方へ向けて突出する位置まで回動させて、屋根パネルを前記屋根部の躯体に係止させて本固定前の位置決めを行なうことが出来る。
【００２９】
また、本固定後、前記吊り金具を枠体フレーム棟側から棟側外方へ取り外すことにより、該位置決め部材が前記枠体フレームから取り外されるので、再利用を簡便に行える。
【００３０】
そして、請求項４に記載されたものでは、建築物の屋根部に所定の角度を有して略平板状の屋根パネルを載置する屋根パネルの施工方法であって、
前記屋根パネル周縁に形成されるフレーム枠体のうち、棟側に位置する棟側フレームの外側面には、前記位置決め部材を回動自在に軸支する吊り金具を装着すると共に、前記建築物の屋根部に該屋根パネルを載置する際には、該位置決め部材を、該屋根部の棟梁に係止させる請求項１又は２記載の屋根パネルの施工方法を特徴としている。
【００３１】
このように構成された請求項４記載のものでは、前記屋根パネル周縁に形成されるフレーム枠体のうち、棟側に位置する棟側フレームの外側面に装着された吊り金具に、前記位置決め部材が回動自在に軸支されているので、前記建築物の屋根部に該屋根パネルを載置する際には、該位置決め部材を該屋根部の棟梁に係止させて、本固定前の仮止めを行い、本固定後に前記吊り金具と共に該位置決め部材を取り外して再利用できる。
【００３２】
また、請求項５に記載されたものでは、建築物の屋根部に所定の角度を有して略平板状の屋根パネルを載置する屋根パネルの施工方法であって、前記屋根パネル周縁に形成されるフレーム枠体のうち、棟側に位置する棟側フレームの外側面に設けられた位置決め部材を、搬送状態では、前記棟側フレーム延設方向に沿って位置させると共に、前記建築物の屋根部に該屋根パネルを載置する際には、回動により、該棟側フレームから下方へ突出させて、該屋根部の棟梁に係止させる請求項１又は２記載の屋根パネルの施工方法を特徴としている。
【００３３】
このように構成された請求項５記載のものでは、前記屋根パネル周縁に形成されるフレーム枠体のうち、棟側に位置する棟側フレームの外側面に設けられた位置決め部材が、搬送状態では、前記棟側フレーム延設方向に沿って位置されて、該屋根パネル内に収納されると共に、前記建築物の屋根部に該屋根パネルを載置する際には、回動により、該棟側フレームから下方へ突出されて、該屋根部の棟梁に係止される。
【００３４】
このため、施工作業性が良好で、しかも、再利用出来、製造コストの上昇を抑制出来る。
【００３５】
【発明の実施の形態１】
以下、本発明の実施の形態を、図１〜図３を参照しつつ説明する。なお、前記従来例と同一乃至均等な部分については、同一符号を付して説明する。
【００３６】
図１〜図３は、本発明の実施の形態１の屋根パネル２０及び，この屋根パネル２０の位置決め部材２１であり、まず、構成を説明すると、建築物１６の屋根部１７は、複数の棟梁１８…等によって、骨組みとなる躯体が形成されている。この棟梁１８上縁部には、図２に示すように、予め所定角度を有して傾斜して形成される棟側側面１８ａが設けられている。そして、これらの棟梁１８…等の上に、複数の屋根パネル２０…が組み合わせられて載置される。
【００３７】
この屋根パネル２０には、略矩形形状を呈し、水平方向から所定の角度の傾斜勾配が設けられて、略平板状のパネル本体としての野地板２が設けられている。この野地板２は、木質の合板製で、上面２ａには、複数の屋根瓦或いは板状のルーフィングが固定される。
【００３８】
この野地板２の下面側周縁には、フレーム枠体４が設けられている。このフレーム枠体４には、前記野地板２の棟側に配設される木製の棟側フレーム５と、前記従来の図４に示すような軒先側に配設される軒側フレーム６とが、棟方向に沿って略平行に設けられている。
【００３９】
また、このフレーム枠体４には、流れ方向に沿って延設されて、これらの棟側フレーム５及び前記軒側フレーム６の各端部間を連結する一対の縦フレーム７，７が設けられている。
【００４０】
このうち、前記棟側フレーム５の外側面５ａには、左，右一対のボルト孔５ｂ，５ｂが形成されている。
【００４１】
このボルト孔５ｂ，５ｂには、各々吊り金具としてのアイボルト２２，２２の雄ネジ部２２ａ，２２ａが挿通されている。そして、この棟側フレーム５内側面５ｃに予め固着されたワッシャ部材２３ａに、雄ネジ部２２ａ先端を挿通させると共に、ナット部材２３ｂにこの先端を螺合させて締結し、着脱可能となるように装着されている。
【００４２】
このアイボルト２２には、クレーン等のフックを係止させるリング状部２２ｂが形成されている。また、このアイボルト２２には、このリング状部２２ｂから前記雄ネジ部２２ａ方向へ向けて延設される中心軸上に、円心を有して半径方向を前記外側面５ａ延設方向に沿わせる略円板鍔状の基部２２ｃとが設けられている。
【００４３】
そして、このアイボルト２２には、前記屋根部１７の棟梁１８に係止される位置決め部材としての掛け止め部材２４が回動自在となるように軸支されている。
【００４４】
この掛け止め部材２４には、前記基部２２ｃと、前記棟側フレーム５外側面５ａとの間に介在して挟持される座金部としての基板部２５が設けられている。この基板部２５略中央には、前記雄ネジ部２２ａを挿通するボルト孔２５ａが形成されている。
【００４５】
また、この掛け止め部材２４には、前記棟梁１８の上縁部に形成される棟側側面１８ａの角度に適合して対向するように、掛け止め板部２６が、前記基板部２５延設面から所定角度折曲されて一体に設けられている。
【００４６】
この掛け止め板部２６は、前記アイボルト２２を回動中心として、この掛け止め部材２４を回動させることにより、図１中実線で示すこの棟側フレーム５延設方向に沿って収納される位置から、図１中二点鎖線で示すこの棟側フレーム５の下方へ向けて突出する位置まで回動可能となるように構成されている。
【００４７】
また、この屋根パネル２０のフレーム枠体４の下面側４ａには、周縁をこのフレーム枠体４に沿わせて前記野地板２と略同一材質の裏面材２１が、略全面に渡って貼設されている。
【００４８】
次に、この実施の形態１の作用について屋根部１６施工の順序に沿いながら説明する。
【００４９】
まず、図３に示すように、前記掛け止め部材２４が、前記建築物１６の屋根部１７を構成する屋根パネル２０に装着される。
【００５０】
すなわち、前記掛け止め部材２４の基板部２５に形成されたボルト孔２５ａに挿通された前記アイボルト２２の雄ネジ部２２ａが、平板状の野地板２周縁に設けられたフレーム枠体９のうち、棟側に配設される棟側フレーム５の外側面５ａに形成されたボルト孔５ｂに、挿通される。
【００５１】
そして、この雄ネジ部２２ａ先端を、前記ワッシャ２３ａを介して前記ナット部材２３ｂに螺合させて締結させる。
【００５２】
このとき、前記掛け止め部材２４をこの棟側フレーム５延設方向に沿う位置である図１中実線で示す位置に停止させることにより、搬送時或いは保管時等の複数の屋根パネル２０…を積層させる状態では、フレーム枠体９内に収納される。
【００５３】
このため、工場等の組立場所から施工現場まで搬送する際或いは保管時に、積層の妨げとなる虞が無く、積層用の治具等も不要となり部品点数の増大を抑制できる。
【００５４】
また、前記外側面５ａから側方へ突設されるアイボルト２２に、回動自在となるように前記掛け止め部材２４が軸支されているので、搬送時に、この掛け止め部材２４が回動しても、当たらないように屋根パネル２０を積層出来、積層された下方の屋根パネル２０の野地板２を損傷させる虞も殆ど無い。
【００５５】
また、前記掛け止め部材２４に設けられた基板部２５が、前記アイボルト２２と、前記棟側フレーム枠体５との間に挟持されて、吊り上げ時に、前記アイボルト２２の基部２２ｃから前記棟側フレーム枠体外側面５ａへ与えられる応力が、分散される。
【００５６】
このため、例えば、この実施の形態１のように前記棟側フレーム枠体５が、木製等であっても、図３中二点差線で示すような前記基部２２ｃのめり込み等を防止出来て、図３中実線で示した前記外側面５ａに対して略鉛直に前記アイボルト２２を保持できる。
【００５７】
次に、この屋根パネル２０を装着する際には、図１又は図３中二点差線で示すように、この掛け止め部材２４をこの軒側フレーム５の下方へ向けて突出する位置まで回動させることにより、前記軒側フレーム５の外側面５ａ内から前記軒側フレーム５の下方に向けてこの掛け止め部材２４の掛け止め板２６を突設させることが出来る。
【００５８】
そして、掛け止め面２６ａを前記棟梁１８の棟側側面１８ａに対向させて図２中実線で示すように載置する。
【００５９】
前記掛け止め面２６ａが、前記棟梁１８の棟側側面１８ａに対向されることにより、この屋根パネル２０が、棟側上端部の棟側フレーム５位置と、前記棟梁１８上端とが所定位置で、一致して、この上端部が基準とされると共に、前記屋根部１７の躯体に所定角度で係止されて、滑落が防止され、本固定前の位置決めが行なわれる。
【００６０】
この際、前記掛け止め部材２４の前記アイボルト２２を回動中心とする回動角度に依存せずに、前記基部２２ｃと外側面５ａとの間に挟持された基板部２５から一体に延設される掛け止め板部２６位置は、流れ方向で略一定であるので、特に、屋根パネル２０自重で位置決めが困難な流れ方向位置の精度を向上させることが出来る。
【００６１】
また、本固定後、前記アイボルト２２を回転させて、前記雄ネジ部２２ａの前記ナット部材２３ｂに対する螺合を解除することにより、枠体フレーム棟側側面ａから棟側外方へ、この掛け止め部材２４を前記アイボルト２２と共に取り外すことができる。
【００６２】
このように、本固定後、前記アイボルト２２を枠体フレーム９から取り外すことにより、掛け止め部材２４が前記枠体フレーム５から同時に取り外されるので、再利用を簡便に行える。
【００６３】
この実施の形態１では、前記屋根パネル周縁に形成されるフレーム枠体９のうち、棟側に位置する棟側フレーム５の外側面５ａに装着されたアイボルト２２に、前記枠体フレーム５が、軸支されている。このため、このアイボルト２２の挿抜方向は、棟合わせ部方向へ向かう方向となるので、足場が確保しやすく、高所作業性も良好である。
【００６４】
また、この実施の形態１では、基板部２５を前記基部２２ｃと外側面５ａとの間に挟持させることにより、フレーム枠体４として木製の軒側，桁側フレーム，縦フレーム７，７を組み合わせて用いることが出来、屋根パネル２０の原材料の自由度が向上する。
【００６５】
更に、前記アイボルト２２及び掛け止め部材２４が、フレーム枠体４外側方向から着脱可能であるので、屋根パネル２０の裏面側にも、裏面材２１を略全面に貼設出来る。このため、この点においても、設計の自由度が向上する。
【００６６】
以上、この発明の実施の形態１を図面により詳述してきたが、具体的な構成はこの実施の形態１に限らず、この発明の要旨を逸脱しない範囲の設計の変更等があってもこの発明に含まれる。
【００６７】
例えば、この実施の形態１では、略矩形形状を呈する屋根パネル２０を用いて説明しているが、特にこれに限らず、例えば、略台形、三角形状等、略矩形以外の形状の屋根パネルであっても、棟側に配設された棟側フレームの外側面に、着脱可能に装着される吊り金具を設けて、前記棟梁に係止する位置決め部材が回動自在に軸支されているものであるならば、形状、吊り金具の数量、吊り金具の配設位置等は限定されるものではない。
【００６８】
また、前記実施の形態１では、フレーム枠体４として木製の軒側，桁側フレーム，縦フレーム７，７を組み合わせて構成しているが、特にこれに限らず、例えば、金属製のフレーム枠体であってもよい。
【００６９】
【発明の効果】
以上説明してきたように、この発明の請求項１記載のものによれば、前記位置決め部材を回動させることにより、前記軒側フレームの外側面から前記軒側フレームの下方に向けて該位置決め部材の一部を突設させることが出来る。
【００７０】
このため、搬送時等の積層状態では、該位置決め部材をフレーム枠体内に収納すると共に、該屋根パネル装着時には、この位置決め部材により、屋根パネルを前記屋根部の躯体に係止させて本固定前の位置決めを行なうことが出来る。
【００７１】
しかも、本固定後、前記吊り金具を枠体フレーム棟側から取り外すことにより、該位置決め部材が前記枠体フレームから取り外されるので、再利用を簡便に行える。
【００７２】
また、請求項２に記載されたものでは、前記位置決め部材に設けられた座金部が、前記吊り金具と、前記棟側フレーム枠体との間に挟持されて、吊り上げ時に、前記吊り金具から前記棟側フレーム枠体に与えられる応力を分散させる。
【００７３】
このため、例えば、前記棟側フレーム枠体が、木製等であっても、前記吊り金具のめり込み等を防止できる。
【００７４】
そして、請求項３に記載されたものでは、前記位置決め部材が、前記建築物の屋根部を構成する屋根パネルに装着されて、平板状のパネル本体周縁に設けられたフレーム枠体のうち、棟側に配設される棟側フレームの外側面に、該棟側フレーム延設方向に沿う位置から、該軒側フレームの下方へ向けて突出する位置まで回動自在となるように装着される。
【００７５】
このため、搬送時等の積層状態では、棟側フレーム延設方向に沿う位置まで、該位置決め部材を回動させてフレーム枠体内に収納すると共に、該屋根パネル装着時には、この位置決め部材を該軒側フレームの下方へ向けて突出する位置まで回動させて、屋根パネルを前記屋根部の躯体に係止させて本固定前の位置決めを行なうことが出来る。
【００７６】
また、本固定後、前記吊り金具を枠体フレーム棟側から棟側外方へ取り外すことにより、該位置決め部材が前記枠体フレームから取り外されるので、再利用を簡便に行える。
【００７７】
そして、請求項４に記載されたものでは、前記屋根パネル周縁に形成されるフレーム枠体のうち、棟側に位置する棟側フレームの外側面に装着された吊り金具に、前記位置決め部材が回動自在に軸支されているので、前記建築物の屋根部に該屋根パネルを載置する際には、該位置決め部材を該屋根部の棟梁に係止させて、本固定前の仮止めを行い、本固定後に前記吊り金具と共に該位置決め部材を取り外して再利用できる。
【００７８】
また、請求項５に記載されたものでは、前記屋根パネル周縁に形成されるフレーム枠体のうち、棟側に位置する棟側フレームの外側面に設けられた位置決め部材が、搬送状態では、前記棟側フレーム延設方向に沿って位置されて、該屋根パネル内に収納されると共に、前記建築物の屋根部に該屋根パネルを載置する際には、回動により、該棟側フレームから下方へ突出されて、該屋根部の棟梁に係止される。
【００７９】
このため、施工作業性が良好で、しかも、再利用出来、製造コストの上昇を抑制出来る、という実用上有益な効果を発揮する。
【図面の簡単な説明】
【図１】本発明の実施の形態１の屋根パネルの斜視図である。
【図２】実施の形態１の屋根パネルの図１中Ａ−Ａ線に沿った位置での断面図である。
【図３】実施の形態１の屋根パネルの図１中Ａ−Ａ線に沿った位置での拡大断面図である。
【図４】一従来例の屋根パネルの斜視図である。
【図５】他の従来の屋根パネルの要部を説明する断面図である。
【符号の説明】
２          野地板（パネル本体）
４          フレーム枠体
５          棟側枠体
５ａ        外側面
１６        建築物
１７        屋根部
１８        棟梁
１８ａ      棟側側面
２０        屋根パネル
２２        アイボルト（吊り金具）
２４        掛け止め部材（位置決め部材）
２５        基板部（座金部）
２６        掛け止め板部
【図１】
0003860654.tif 000002
【図２】
0003860654.tif 000003
【図３】
0003860654.tif 000004
【図４】
0003860654.tif 000005
【図５】
0003860654.tif 000006